(57)【特許請求の範囲】
【請求項１】
少くとも１種のガス透過性高分子壁物質で一体に形成された２つに分離した隔室を有し、当該２つの隔室の１つが少くとも１種の付加的なガス不透過性高分子物質で完全に被覆されている容器であって、各隔室は、中央ハンドルを使って取り除くことができるストッパーによって分離されており、使用するまで分離した状態で保存される２種の異った組成物を分離収容するための２隔室容器。
【請求項２】
他の隔室が少くとも１種のガス不透過性高分子物質で部分的に被覆されている請求項１記載の２隔室容器。
【請求項３】
ガス透過性層及びガス不透過性層の中間に、接着剤層を設けた請求項１又は２記載の２隔室容器。
【請求項４】
少くとも１層のガス透過性高分子物質、必要により少くとも１種の接着剤被覆層を設け、更にガス不透過性高分子物質の少くとも部分的に付加的な層を有する共押出しによって製造された無限チューブを、隔室の１つがガス不透過性層で完全に被覆され、そして他の隔室がガス不透過性層で被覆されていないか又は部分的にだけ被覆されている様に押出し成形する２隔室容器の製造法。
【発明の詳細な説明】
【０００１】
【発明の属する技術分野】
本発明は、使用するまで分離しておかねばならない２種の異った組成物を充填する２つの分離した隔室を備えた一体成形された容器に関する。
【０００２】
【従来の技術】
互いに相容れない、又は反応してしまうために、使用するまでは各々が接触することを避けなければならない２種の異った物質や製品を分離して収容する充填２隔室容器が使用されてきた。
このような製品の例として、プラスチックフォーム製造のための化合物、反応性接着剤、あるいは化粧品分野ではパーマネントウェーブ剤での第１剤である還元剤とその第２剤である過酸化物組成物、又は毛髪を染色するための酸化染料前駆体と酸化剤組成物が挙げられる。
【０００３】
これらの異った構成成分は、容器の材料に対して厳しい異った性質を必要とするので、各々の容器は、異った材質で例えば射出成形で分離して製造されねばならない。そしてこれらの容器はネジ、連結栓又は他の連結法によって連結される。異った構成の物質は、その充填物の使用に際して取り除かれたり破壊される栓、フォイル等で分離される。
【０００４】
【発明が解決しようとする課題】
従って、これらの公知の２隔室収容容器は、一体成形や１工程では製造できず、追加の工程が必要となっている。
本発明の目的は、これらの課題を解決すべく、一体成形でありながら容器物質に対して厳しい異った性質が要求される異った構成成分を分離して保存できる２隔室容器及びその製造法を提供することにある。
【０００５】
【課題を解決するための手段】
本発明者は、ガス透過性高分子物質と、ガス不透過性高分子物質を組み合せて使うことにより、一体成形できる容器を見い出した。
【０００６】
すなわち、本発明は、少くとも１種のガス透過性高分子壁物質で一体に形成された２つに分離した隔室を有し、当該２つの隔室の１つが少くとも１種の付加的なガス不透過性高分子物質で完全に被覆されている容器であって、各隔室は、中央ハンドルを使って取り除くことができるストッパーによって分離されており、使用するまで分離した状態で保存される２種の異った組成物を分離収容するための２隔室容器及びその製造法を提供するものである。
【０００７】
【発明の実施の形態】
本発明の２隔室容器は、ガス透過性高分子物質により製造され、そのうち１つの隔室はガス不透過性高分子物質による少くとも１種の層で付加的に製造される。そして他の隔室は、全体が又は少くともその一部がガス不透過性層で被覆されていないままである。
【０００８】
かくしてガス不透過性隔室には、例えば使用する前は酸素に対して完全に密閉されていることが必要な毛髪染色剤組成物の調製の酸化染料前駆体組成物を収容することができる。他方、少くとも部分的にガス透過性な他の隔室は、水性過酸化物組成物のような、空気に対して鋭敏でない組成物を収容できる。この隔室はそこで発生したガスを過度な加圧を起さない目的で逃がすことができる。
【０００９】
一体成形された２隔室容器の各隔室は、使用に際して取り除かれ又は破壊されるそれ自体公知の閉鎖具（ストッパー）によって分離される。
【００１０】
容器のガス透過性層及びガス不透過性層の中間に、例えば架橋した又はイオノマーのポリオレフィン又はカルボキシル化（例えば無水マレイン酸）ポリエチレンエラストマーのようなガス透過性、接着剤層を設けるのが好ましい。
【００１１】
ガス透過性層、ガス不透過性層及び接着剤層は当然複数層を設けることができる。しかしながら、この際、２隔室のうち１つの隔室は、少くとも一部がガス不透過性層で被覆されていないことを要する。
【００１２】
本発明の２隔室容器のガス透過性の基体を構成する物質としては、特にポリエチレン及びポリプロピレンが好ましい。
【００１３】
本発明の２隔室容器で使用するガス不透過性層としては、ポリエチレンテレフタレート（ＰＥＴ）、ポリビニルクロライド（ＰＶＣ）、ポリアミド（ＰＡ）、アクリロニトリル／メタアクリレート共重合体（例えば、商標：Barex）、ポリカーボネート（ＰＣ）、ポリ（エチレン／ビニルアルコール  ＥＶＯＨ）共重合体又はイオノマー（例えば、カルボキシル基で架橋した共重合物）が好ましい。
【００１４】
本発明の２隔室容器は、先ずポリエチレン又はポリプロピレンのような高分子物質のガス透過性層を少くとも１層、好ましくは接着剤層を１層及びＰＥＴ又はＰＶＣのようなガス不透過性高分子層を少くとも１層を有する無限チューブを押出法により製造し、次いで１つの隔室がガス不透過性層によって完全に被覆され、第２の隔室がこのガス不透過性層によって被覆されていないか又は部分的にのみ被覆される方法で２つの隔室を有する容器を押出し成形することによって製造される。
【００１５】
この製造法では、第２番目の押出し機は、ガス不透過性被覆を全く又は部分的に必要としない部分に、ガス不透過性高分子物質層の位置を全く又は部分的に被覆しないように減速又は停止することにより制御される。
【００１６】
高分子物質を選択することにより、容器は不透明に又は完全に若しくは部分的に透明とすることができる。
【００１７】
【実施例】
第１図は、本発明の２隔室容器１の断面図を示す。この容器の収縮した前部２には、上層隔室４と下層隔室５に分離するストッパー３が設けられている。このストッパー３は図示しない公知の中央ハンドルを使って使用時に取り除くことができる。容器は、ガス透過性の基本を構成する物質６で形成されており、その外側表面は、接着剤層７で被覆されている。
【００１８】
この基体を構成する物質６の上に、ガス不透過性密閉層８が下層隔室５の全外側表面上に押出し成形されて設けられている。しかし該ガス不透過密閉層８は隔室４の外側表面の一部にしか設けられていない。この積層の詳細な第１図のＢ部分の拡大図である第２図に詳細に記載されている。
【００１９】
下層隔室５には、例えば空気不透過の状態での充填を要求する酸化染料前駆体を充填され、酸素が透過できる上層隔室４には水性過酸化水素溶液が充填される。
【００２０】
毛髪を染色する直前に、首部３で閉じて両隔室を分離しているストッパー３は公知開放方法で取り除かれ、上層隔室４及び下層隔室５の両組成物は混合され、毛髪染色剤として直ぐに使用可能な状態となる。
【００２１】
【発明の効果】
ガス不透過性層で被覆された隔室に充填された空気不透過充填を要求する組成物は長期間安定であって、両隔室間のストッパーを開放することにより他の隔室の組成物と容易に混合でき、接着剤、染毛剤等２液を混合して使用する製品に有用である。
【図面の簡単な説明】
【図１】２隔室容器の断面図を示す。
【図２】第１図の上層隔室部の部分拡大図である。
【符号の説明】
２：首部
３：ストッパー
４：上層隔室
５：下層隔室
６Ａ，６Ｂ：ガス透過性層
７：接着剤層
８：ガス不透過性層
【図１】
0003718110.tif 000002
【図２】
0003718110.tif 000003